(57)【要約】  【課題】  書類を簡易に整理または分類してストックし、同時に、書類の枚数が少ない場合であっても綴じ具自体の厚み分のスペースを考慮することなく簡易に書類を綴じることを可能とするファイルの提供。【解決手段】  ファイルの裏表紙または表紙の一に切り込みを入れ、切り込みにより生じた部分を書類を綴じるための止め具として利用する。また、ファイル下部のクローズ部分にミシン目を入れておき、切り離された部分を書類を綴じるための止め具として利用する。【選択図】  図１
2005103837.tif 000002
【特許請求の範囲】
【請求項１】
ファイルの一部に、書類を綴じるための止め具を形成するための切り込みを設けたことを特徴とする止め具兼用ファイル。
【請求項２】
該切り込みはファイル下部のクローズ部分に沿って設けられていることを特徴とする請求項１記載の止め具兼用ファイル。
【発明の詳細な説明】
【技術分野】
【０００１】
本発明は、書類をストックし、同時に簡易にファイリングするための文具に関するものである。
【背景技術】
【０００２】
従来、書類をストックするための文具としては、クリアホルダーと称される綴じ具を有しないポリプロピレン製のホルダー等が用いられることが多かった。
また、書類をファイリングするための文具としては、書類に孔を空けて金属製またはプラスチック製等の綴じ具で綴じるファイルが用いられることが多かった。
このファイルの綴じ具を改善したものの一つとして、綴じ具の押さえ棒の通し穴の側縁部を切り欠き、綴じ具の着脱を容易にしたファイルが見られる（例えば、特許文献１参照。）
【特許文献１】特開２００１−２９３９８７号公報
【発明の開示】
【発明が解決しようとする課題】
【０００３】
しかし、綴じ具を有しないホルダーでは、書類を簡易に整理または分類してストックすることは可能であるが、書類が移動中等に散乱したり紛失したりしないために最低限ファイルの周囲の辺のうち2辺はクローズ状態とされているのが一般で、ファイルごとに書類を閲覧することが困難であった。
【０００４】
また、綴じ具を有するファイルでは、書類が移動中等に散乱したり紛失したりすること等がないように確実にファイリングすることは可能であるが、綴じる書類の枚数が少ない場合であっても綴じ具自体の厚み分のスペースは最低限必要なためにファイルを保管したり携帯したりするに際して不便であり、簡易にファイリングできない等の問題があった。
【課題を解決するための手段】
【０００５】
上記課題を解決するために本発明のファイルは、ファイルの一部に、書類を綴じるための止め具を形成するための切り込みを設けたことを要旨とする。
【０００６】
さらに、本発明のファイルは、該切り込みはファイル下部のクローズ部分に沿って設けられていること要旨とする。
【発明の効果】
【０００７】
本発明の効果として、移動中の書類の散乱や紛失等の問題が生じることなく書類を簡易に整理または分類してストックすることが可能となる。ファイル下部をオープンな形とすれば、容易にファイルごとに書類を閲覧することも可能となる。
また、止め具としてファイル裏表紙または表紙の一部分を利用しているので別に止め具を用意する必要がなく、書類を手軽にファイリングすることができる。また、止め具はファイル本体とつながっているため止め具のみの落下という事態も生じない。
特に、綴じる書類の枚数が少ない場合にも、綴じ具自体ががさついたり、綴じ具が書類の枚数以上に厚みをとってかさばるという問題も生じることがなく、書類を簡易にファイリングすることが可能となる。
さらに、止め具を形成する切り込みの部分を切り離さないで使用すれば、普通のクリアホルダーとして使用することも可能である。
【発明を実施するための最良の形態】
【０００８】
本発明による文具は、書類を簡易にファイリングすることを可能とするために、ファイルの裏表紙または表紙の一に切り込みを入れ切り込みにより生じた部分を止め具として利用するものである。また、止め具は、ファイルの裏表紙または表紙の一の切り込みにより生じた部分を利用したものでなくても、ファイル下部のクローズ部分にミシン目を入れておき、切り離された部分を止め具として利用するものであってもかまわない。
止め具の位置は、上端、下端、横端部等、さらに例えば上端の中でも中央部、左端部、右端部等、さまざまな位置とすることが可能である。また、止め具を折り返す向きは、例えば図１（ｄ）のように外向きとすることもできる。
ファイル表紙には、書類をファイル表紙と一体的に確実にファイリングするために、二つ孔を設けて止め具が通せるようにしておくことが好ましい。また、図４のようにファイルはシート状でもよい。
【０００９】
ファイルの大きさは、Ａ４、Ｂ５サイズをはじめとし、さまざまな大きさとすることが可能である。
ファイルの材質は、例えばポリプロピレン製や紙製等が考えられる。透明であっても不透明であってもかまわない。
【実施例１】
【００１０】
本発明の第１の実施例を図１に基づいて説明する。
図１（ａ）（ｂ）（ｃ）（ｄ）は本発明のファイルの正面よりの斜視図である。（ｅ）（ｆ）（ｇ）は止め具部分の正面よりの拡大図である。
【００１１】
本実施例においては、ファイルの裏表紙に切り込みを入れ、切り込みにより生じた部分を止め具として利用した場合を説明する。
図において（１）はファイル表紙、（２）はファイル裏表紙、（３）は  止め具、（４）は開孔、（５）はファイル下部、（６）は書類、（７）は綴じ孔、（１０）及び（１０′）は止め具とファイルの接合点である。
【００１２】
図に示すように、ファイル裏表紙（２）の一部分に切り込みを入れておき、わずかな力で切り離し可能としておく。この部分は使用者の任意で、切り込みを利用して図１（ａ）のように切り込まれた部分を一部切り開き、止め具（３）として用いることができるようになっている。止め具（３）を形成する切り込みはファイルの裏表紙（２）でなくてもファイルの表紙（１）の側にあってもよい。書類をファイル表紙と一体的に綴じるために、ファイル表紙に開孔（４）を設けることが好ましい。
図１（ａ）ではファイル下部（５）をクローズとしているが、ファイル下部（５）はオープンであってもよい。
止め具（３）は、例えば図１（ｂ）（ｃ）に示すような位置とすることも可能である。また、止め具（３）の形状は、例えば図１（ｅ）（ｆ）（ｇ）のような形状とすることが考えられる。特に（ｆ）や（ｇ）の形状は止め具先端にテーパーを設けた形となっているため、書類（６）の綴じ孔（７）に挿入しやすい。なお、止め具とファイルの接合点（１０）（１０′）間の距離はパンチ孔間の寸法を考慮するものとする。例えば、一般的に市販されるパンチ孔間の寸法は８０mm、穴径は５mmであるため、止め具とファイルの接合点（１０）（１０′）間の距離は８５mm〜８３mmが好ましい。また、止め具（３）は、図１（ｂ）のように内向きに折り返す他、図１（ｄ）のように外向きに折り返す形状とすることもできる。この場合にも、止め具とファイルの接合点（１０）（１０′）間の距離はパンチ孔間の寸法を考慮する。例えば、上記同様、市販のパンチ孔間の寸法は８０mm、穴径は５mmであるため、止め具とファイルの接合点（１０）（１０′）間の距離は７５mm〜７３mmが好ましい。
ファイルの素材には外部から書類の内容が確認できるように透明のポリプロピレンを用い、大きさはＡ４サイズとしている。
【００１３】
このようなファイルを使用すると、移動中の書類の散乱や紛失等の問題が生じることなく書類を簡易に整理または分類してストックすることが可能となる。ファイル下部をオープンな形で使用すれば、ファイリングした書類をファイルから取り出すことなく容易に書類を閲覧することが可能となる。
また、ファイル裏表紙または表紙の一に切り込みを入れ切り込みにより生じた部分を止め具として利用しているので、別の止め具を用意する必要がなく、止め具はファイル本体とつながっているため止め具のみの落下という事態も生じない。特に、綴じる書類の枚数が少ない場合にも綴じ具自体ががさついたり、綴じ具が書類の枚数以上に厚みをとってかさばるという問題も生じることなく、書類を簡易にファイリングすることが可能となる。
また、止め具を形成する切り込みの部分を切り離さないで使用すれば、普通のクリアホルダーとして使用することも可能である。
【実施例２】
【００１４】
本発明の第２の実施例を図２に基づいて説明する。
図２（ａ）は本発明のファイルの正面よりの斜視図である。（ｂ）は実施例２の使用状態を説明する使用状態図である。
【００１５】
本実施例においては、ファイル裏表紙の上端部に折り返しをつけた場合を説明する。
図において（１）はファイル表紙、（２）はファイル裏表紙、（３）は止め具、（４）及び（４′）は開孔、（６）は書類、（７）は綴じ孔、（８）は折り返しである。
【００１６】
図に示すように、ファイル裏表紙（２）の一部分に切り込みを入れておき、わずかな力で切り離し可能としておく。この部分は使用者の任意で、切り込みを利用して図２（ａ）のように切り込まれた部分を一部切り開き、止め具（３）として用いることができるようになっている。また、書類を確実にファイリングするため、ファイル裏表紙（２）の上端部に折り返し（８）を設けている。折り返し（８）は止め具（３）の位置に応じて、ファイル裏表紙（２）の下端部や横端部に設けてもよい。また折り返し（８）はファイルの表紙（１）側に設けてもよい。止め具（３）を形成する切り込みはファイルの裏表紙（２）でなくてもファイルの表紙（１）の側にあってもよい。この場合、折り返し（８）はファイルの表紙（１）の側に設ける。
書類をファイル表紙及び折り返しと一体的に綴じるために、ファイル表紙（２）及び折り返し（８）に開孔（４）及び（４′）を設けることが好ましい。
図２（ａ）ではファイル下端をオープンとしている。
止め具は、例えば図１（ｂ）（ｃ）に示すような位置とすることも可能である。また、止め具は、図１（ｂ）のように内向きに折り返す他、例えば図１（ｄ）のように外向きに折り返す形状とすることもできる。
ファイルの素材には外部から書類の内容が確認できるように透明のポリプロピレンを用い、大きさはＡ４サイズとしている。
【００１７】
このようなファイルを使用すると、実施例１に比べて、折り返しが設けられているために、よりしっかり書類が保持できる上に、ファイル上端で書類を保持しているためファイル下端をオープンにすることが可能となり、書類をファイルから取り外さずに書類の内容を確認することができる。
【実施例３】
【００１８】
本発明の第３の実施例を図３に基づいて説明する。
図３（ａ）（ｂ）は本発明のファイルの正面よりの斜視図である。（ｃ）は本発明のファイルの背面よりの斜視図である。
【００１９】
本実施例においては、ファイルの裏表紙または表紙の一に切り込みを入れ切り込みにより生じた部分を止め具として利用するものでなく、ファイル下部のクローズ部分にミシン目を入れておき、切り離された部分を止め具として利用する場合を説明する。
図において（１）はファイル表紙、（２）はファイル裏表紙、（３′）は止め具、（４）は開孔、（５′）はファイル下部のクローズ部分、（６）は書類、（７）は綴じ孔、（９）はミシン目である。
【００２０】
図３（ｂ）に示すように、ファイル下部のクローズ部分（５′）にミシン目（９）を入れておき、切り離した部分を図３（ａ）のように止め具（３′）として利用できるようにしておく。図３（ｂ）のファイル下部の止め具（３′）となる部分には、中央部にあらかじめミシン目（９）を入れておき２つの部分に分かれるようにしておく。２つに分かれた部分をそれぞれ開孔（４）に通して止め具として使用する。止め具（３′）を２つの部分に分割せずに、そのまま１本の状態で開孔（４）に通して止め具として使用してもよい。
ファイルの表紙（１）及び裏表紙（２）には開孔（４）を空けておき、止め具（３′）を通せるようにしておく。開孔（４）をあらかじめ設けずに、使用者が任意の位置に開孔（４）を空けるようにしてもよい。
ファイル及び止め具の素材には、外部から書類の内容が確認できるように透明のポリプロピレンを用い、大きさはＡ４サイズとしている。
【００２１】
このようなファイルを使用すると、使用者がファイル下部のクローズ部分を切り離すことにより、別の止め具を用意することなく、切り離した部分を手軽に止め具として利用することが可能となる。また、止め具を形成し得るファイル下部のクローズ部分を切り離さなければ、普通のクリアホルダーとして使用することも可能である。
【実施例４】
【００２２】
本発明の第４の実施例を図４に基づいて説明する。
図４は本発明のファイルの正面よりの斜視図である。
【００２３】
本実施例においては、シート状・板状の書類ファイルを説明する。
図において（３）は止め具、（６）は書類、（７）は綴じ孔、（１１）はシート状ファイルである。
【００２４】
図に示すように、シート状ファイル（１１）の一部分に切り込みを入れ切り込みにより生じた部分を止め具（３）として用いる。
止め具は、例えば図１（ｂ）（ｃ）に示すような位置とすることも可能である。また、止め具は、図１（ｂ）のように内向きに折り返す他、図１（ｄ）のように外向きに折り返す形状とすることもできる。
ファイルの素材には、ポリプロピレンを用い、大きさはＡ５サイズとしている。また、厚手のポリプロピレンを使用することにより、バインダーとして利用することも可能となる。
【００２５】
このようなファイルを使用すると、止め具としてシート状ファイルの一部分に切り込みを入れ切り込みにより生じた部分を止め具として利用しているので非常に軽く、大きさも小さくできる。例えばＡ５サイズのものを用いてＡ４の書類を綴じることも可能である。
また、ファイリングした書類をファイルから取り外すことなく、書類を閲覧することが可能である。
【産業上の利用可能性】
【００２６】
本発明は、書類をストックし、別の綴じ具を用いることなく同時に簡易にファイリングするための文具に関するものであり、文具として産業上利用可能性を有するものである。
【図面の簡単な説明】
【００２７】
【図１】（ａ）本発明の第１の実施例の全体斜視図（ｂ）（ｃ）（ｄ）本発明の第１の実施例変形例の全体斜視図（ｅ）（ｆ）（ｇ）本発明の第１の実施例の止め具部分の拡大図
【図２】（ａ）本発明の第２の実施例の全体斜視図（ｂ）本発明の第２の実施例の使用状態図
【図３】（ａ）（ｂ）本発明の第３の実施例の全体斜視図（ｃ）本発明の第３の実施例の背面斜視図
【図４】本発明の第４の実施例の全体斜視図
【符号の説明】
【００２８】
１  ファイル表紙
２  ファイル裏表紙
３  止め具
３′止め具
４  開孔
４′開孔
５  ファイル下部
５′ファイル下部のクローズ部分
６  書類
７  綴じ孔
８  折り返し
９  ミシン目
１０    止め具とファイルの接合点
１０′  止め具とファイルの接合点
１１    シート状ファイル
【図１】
2005103837.tif 000003
【図２】
2005103837.tif 000004
【図３】
2005103837.tif 000005
【図４】
2005103837.tif 000006